【手続補正書】
【提出日】平成19年10月22日(2007.10.22)
【手続補正１】
【補正対象書類名】明細書
【補正対象項目名】特許請求の範囲
【補正方法】変更
【補正の内容】
【特許請求の範囲】
【請求項１】  通信システムにおいて基地局から移動局へ情報を送信する方法であって、
フォワードリンク内の時間フレームの少なくとも一部を識別するステップ（Ａ）であって、前記フレームの識別された部分は、前記フォワードリンクを介しての予め送信が予定された任意のトラフィックストリームに加えて、少なくとも１つの、予め送信が予定されていないトラフィックストリームの少なくとも一部を送信するための利用可能な容量を有するステップ（Ａ）と、
前記フレームの前記識別された部分の間に、予め送信が予定されたトラフィックストリームと予め送信が予定されていないトラフィックストリームの一部とを同時に送信するステップ（Ｂ）と、
を具備し、
前記送信が予定されたトラフィックストリームと前記送信が予定されていないトラフィックストリームの和は、最大パワー限度よりも大きくない請求項１に記載の方法。
【請求項２】  ステップ（Ｂ）は、前記識別されたフレームの利用可能な容量の少なくとも一部を前記予め送信が予定されていないトラフィックストリームに割り当てるステップを具備する請求項１に記載の方法。
【請求項３】  前記和は前記最大パワー限度に実質的に等しく、前記和は、前記請求項１のステップを反復することによって、複数の時間フレームにわたって一定に維持される請求項２に記載の方法。
【請求項４】  前記予め送信が予定されていないセットのトラフィックストリームにおける１つのフレームの少なくとも一部は、意図した受信局による正しい復調に十分でない第１のシンボルエネルギで意図的に送信される請求項２に記載の方法。
【請求項５】  前記第１のシンボルエネルギで予め送信された情報の少なくとも一部を前記フォワードリンクに関して再送するステップをさらに具備し、前記再送された部分は、前記意図した受信局による正しい復調のためにそれ自身十分でないシンボルエネルギで再送される請求項４に記載の方法。
【請求項６】  受信したシンボルエネルギの和が前記意図した受信局による正しい復調を可能とする大きさになるまで、前記再送部分の再送を反復するステップを具備する請求項５に記載の方法。
【請求項７】  前記予め送信が予定されたトラフィックストリームは、少なくとも１つの一定のビットレートトラフィックストリームと、少なくとも１つの可変ビットレートトラフィックストリームとを含む請求項６に記載の方法。
【請求項８】  前記一定ビットレートトラフィックストリームにおけるフレームと、前記予め送信が予定されていないトラフィックストリームにおけるフレームとは互いに時間的にオフセット関係にある請求項７に記載の方法。
【請求項９】  前記予め送信が予定されていないトラフィックストリームは、異なる長さをもつメッセージを含む請求項８に記載の方法。
【請求項１０】  前記予め送信が予定されていないストリームからのトラフィックストリームは、前記予め送信が予定されているストリームからのトラフィックストリームとは異なるフレーム長さを有している請求項２に記載の方法。
【請求項１１】  前記さらなるトラフィックストリームは不連続に送信される請求項１０に記載の方法。
【請求項１２】  前記予め送信が予定されていないトラフィックストリームは、予め送信が予定されているトラフィックストリームよりも低い優先度を有している請求項１１に記載の方法。
【請求項１３】  前記予め送信が予定されているトラフィックストリームの少なくとも一つにおけるフレームと、前記少なくとも１つの予め送信が予定されていないトラフィックストリームにおけるフレームとは、互いに時間的にオフセット関係を有している請求項１に記載の方法。
【請求項１４】  前記予め送信が予定されているトラフィックストリームの少なくとも１つにおけるフレームと、少なくとも１つの予め送信が予定されていないトラフィックストリームにおけるフレームとは異なる長さを有する請求項１３に記載の方法。
【請求項１５】  前記通信システムは、符号分割多元接続（ＣＤＭＡ）変調を使用する請求項１に記載の方法。
【請求項１６】  基地局と複数の移動局を有する無線通信システムにおいて、複数のトラフィックストリームを含むフォワードリンクは、前記基地局から前記移動局への少なくとも１つのチャネルを介して送信され、前記フォワードリンクは、最大パワー限度の影響を受け、前記基地局から前記移動局へ情報を送信するための装置は、
前記フォワードリンクに関して前記基地局から前記移動局へ１つ以上のトラフィックストリームの第１のセットを同時に送信することに関連する出力パワーレベルを決定し、前記出力パワーレベルと前記最大パワー限度とを比較し、第２のセットの１つ以上のトラフィックストリームの一部を送信するための利用可能な容量を有するフォワードリンクにおける少なくとも１つの時間フレームを識別する基地局コントローラ（Ａ）と、
前記フォワードリンクに関する少なくとも１つのフレームの間に、前記１つ以上のトラフィックストリームの第１のセットと、前記１つ以上のトラフィックストリームの前記第２のセットの一部とを同時に送信する基地局送信機（Ｂ）と
を具備する装置。
【請求項１７】  基地局と複数の移動局を有する無線通信システムにおいて、複数のトラフィックストリームを含むフォワードリンクは、前記基地局から前記移動局へ少なくとも１つのチャネルを介して送信され、前記フォワードリンクは、最大パワー限度の影響を受け、前記基地局から前記移動局へ情報を送信するための装置は、
前記フォワードリンクに関して前記基地局から前記移動局へ１つ以上のトラフィックストリームの第１のセットを同時に送信することに関連する出力パワーレベルを決定するための手段（Ａ）と、
前記出力パワーレベルと前記最大パワー限度とを比較するための手段（Ｂ）と、
１つ以上のトラフィックストリームの第２のセットの一部を送信するための利用可能な容量を有するフォワードリンクにおける少なくとも１つの時間フレームを識別するための手段（Ｃ）と、
前記フォワードリンクに関する少なくとも１つのフレームの間に、前記１つ以上のトラフィックストリームの第１のセットと、前記１つ以上のトラフィックストリームの第２のセットの一部とを同時に送信するための手段（Ｄ）と、
を具備する装置。
【請求項１８】  基地局と複数の移動局を有する無線通信システムにおいて、前記基地局から移動局へトラフィック情報を送信するための方法であって、
移動局によるトラフィック情報の正しい復調には十分でない第１のシンボルエネルギ量で、前記基地局からトラフィック情報を意図的に送信するステップ（Ａ）と、
ステップ（Ａ）の後に、前記基地局から前記移動局へ前記第１のシンボルエネルギ量で最初に送信された前記トラフィック情報を再送するステップ（Ｂ）であって、前記トラフィック情報は、前記移動局による前記トラフィック情報の正しい復調のためにそれ自身十分でないさらなるシンボルエネルギで再送されるステップ（Ｂ）と
を具備する方法。
【請求項１９】  正しい復調のために十分でないシンボルエネルギで最初に送信されたトラフィック情報を送信するのに用いられるシンボルエネルギ量の和が、前記移動局による正しい復調を可能にするのに十分な大きさになるまで、ステップ（Ｂ）を反復するステップ（Ｃ）をさらに具備する請求項１８に記載の方法。
【請求項２０】  ステップ（Ｂ）において、前記トラフィック情報を再送するために用いられたさらなるシンボルエネルギ量は、高速フォワードパワー制御を用いて基地局で決定される請求項１８に記載の方法。
【請求項２１】  ステップ（Ａ）において前記基地局から送信されたトラフィック情報に対応する受信エネルギ値を前記移動局で決定するステップと、前記受信エネルギ値を前記移動局から前記基地局へ送信するステップとをさらに具備し、ステップ（Ｂ）において前記トラフィック情報を再送するのに用いられた前記さらなるシンボルエネルギ量は、前記移動局から送信された前記受信エネルギ値に従って前記基地局で決定される請求項１８に記載の方法。
【請求項２２】  前記受信エネルギ値は確認応答プロトコルを用いて前記移動局から前記基地局へ送信される請求項２１に記載の方法。
【請求項２３】  前記確認応答プロトコルは、フォワード及びリバース制御チャネルを用いて前記基地局と前記移動局の間で送信される請求項２２に記載の方法。
【請求項２４】  前記トラフィック情報は、追加のチャネルを介してステップ（Ａ）及び（Ｂ）において送信され、前記フォワード及びリバース制御チャネルは、前記追加のチャネルよりも低いエラーレートを有している請求項２３に記載の方法。
【請求項２５】  前記受信エネルギ値は、否定の確認応答プロトコルを用いて、前記移動局から前記基地局へ送信される請求項２１に記載の方法。
【請求項２６】  確認応答プロトコルはフォワード及びリバース制御チャネルを用いて、前記基地局と前記移動局の間で送信される請求項２５に記載の方法。
【請求項２７】  前記トラフィック情報は、追加のチャネルを介してステップ（Ａ）及び（Ｂ）において送信され、前記フォワード及びリバース制御チャネルは、前記追加のチャネルよりも低いエラーレートを有する請求項２６に記載の方法。
【請求項２８】  ステップ（Ａ）において前記第１のシンボルエネルギ量で送信されたトラフィック情報に関連する受信エネルギと、ステップ（Ｂ）において前記さらなるシンボルエネルギ量で送信されたトラフィック情報に関連する受信エネルギとを前記移動局でのバッファ内で組み合わせることによって、ステップ（Ａ）において前記第１のシンボルエネルギ量で送信されたトラフィック情報と、ステップ（Ｂ）において前記さらなるシンボルエネルギ量で送信されたトラフィック情報との和を算出するステップ（Ｄ）と、
ステップ（Ｄ）の結果に従って前記移動局で前記トラフィック情報を復調するステップ（Ｅ）と
をさらに具備する請求項１９に記載の方法。
【請求項２９】  複数の移動局にトラフィック情報を送信する複数の基地局送信機をサービスする基地局コントローラを有する移動無線電話システムにおいて、基地局トランシーバから移動局へトラフィック情報を送信するための装置は、
前記基地局送信機から前記移動局へトラフィック情報を送信するための第１のシンボルエネルギ量を選択する前期基地局コントローラでのパワー割り当てユニット（Ａ）であって、前記第１のシンボルエネルギ量は、前記移動局によるトラフィック情報の正しい復調には十分でない量であり、前記パワー割り当てユニット（Ａ）は、前記トラフィック情報を前記基地局送信機から前記移動局へ再送するためのさらなるシンボルエネルギ量を選択し、前記さらなるシンボルエネルギ量は、前記移動局によるトラフィック情報の正しい復調のためにそれ自身十分でない量であるパワー割り当てユニット（Ａ）と、
基地局送信機（Ｂ）であって、前記トラフィック情報を最初に前記第１のシンボルエネルギ量で前記基地局送信機（Ｂ）から前記移動局へ送信し、次に、前記トラフィック情報を前記さらなるシンボルエネルギ量で前記基地局送信機（Ｂ）から前記移動局へ送信する基地局送信機（Ｂ）と
を具備する装置。
【請求項３０】  トラフィック情報を複数の移動局へ送信する基地局を有する移動無線電話システムにおいて、トラフィック情報を前記基地局から前記移動局へ送信するための装置は、
トラフィック情報を前記基地局から前記移動局へ送信するための第１のシンボルエネルギ量を選択する前記基地局でのパワー割り当てユニット（Ａ）であって、前記第１のシンボルエネルギ量は、前記移動局によるトラフィック情報の正しい復調のために十分でない量であり、前記パワー割り当てユニット（Ａ）は、前記トラフィック情報を前記基地局から前記移動局へ再送するためのさらなるシンボルエネルギ量を選択し、前記さらなるシンボルエネルギ量は、前記移動局によるトラフィック情報の正しい復調のためにそれ自身十分でない量であるパワー割り当てユニット（Ａ）と、
最初に前記トラフィック情報を前記第１のシンボルエネルギ量で前記基地局から前記移動局へ送信し、次に、前記トラフィック情報を前記さらなるシンボルエネルギ量で前記基地局から前記移動局へ送信する基地局送信機（Ｂ）と
を具備する装置。
【請求項３１】  基地局と複数の移動局を有する移動無線電話システムにおいて、トラフィック情報を前記基地局から移動局へ送信するための装置は、
トラフィック情報を、移動局による前記トラフィック情報の正しい復調のために十分でない第１のシンボルエネルギ量で前記基地局から意図的に送信するための手段（Ａ）と、
前記トラフィック情報を、前記移動局によるトラフィック情報の正しい復調のためにそれ自身十分でないさらなるシンボルエネルギ量で再送するための手段（Ｂ）とを具備する装置。